(57)【要約】【課題】酸素バリア性が高められ、特に粘稠なペースト状物質を内容物とする容器に装着されている場合にも、その酸化劣化が有効に防止された注出具を提供する。【解決手段】円筒状本体４１とその下部に一体に連なった容器接合用筒４３とを含んでいるスパウト１と、スパウト１の円筒状本体４１に螺子係合により着脱自在に装着されているキャップ３とからなる注出具において、容器接合用筒４３は、円筒状本体４１の下端部での外径よりも小径の外面を有する筒状基部４３ａと、その外面から径方向外方に張り出している張出片４３ｂを有しており、キャップ３は、スパウト１内に侵入してスパウト１内の内容物排出用流路１００を閉塞する栓体５を有していることを特徴とする。【選択図】  図１
2018090271.tif 000002
【特許請求の範囲】
【請求項１】
円筒状本体と該円筒状本体の下部に一体に連なった容器接合用筒とを含み、該円筒状本体及び容器接合用筒の内部空間が内容物の排出用流路となっているスパウトと、該スパウトの円筒状本体に螺子係合により着脱自在に装着されているキャップとからなる注出具において、
前記スパウトの容器接合用筒は、前記円筒状本体の下端部での外径よりも小径の外面を有する筒状基部と、該筒状基部の外面から径方向外方に張り出している張出片を有しており、
前記キャップは、栓体と、該栓体の上端に連なり且つ該栓体の外面を取り囲むように延びている筒状外側壁とを有しており、
前記スパウトの円筒状本体は、前記栓体外面と筒状外側壁との間の空間に挿入されて螺子固定されており、該栓体の底面は、前記スパウトの容器接合用筒で囲まれた領域に位置しているとともに、該栓体の外面には、前記容器接合用筒の筒状基部の内面に密着している部位を含んでいることを特徴とする注出具。
【請求項２】
前記栓体が、肉抜きされた有底筒状形状を有しており、該栓体の底面から前記容器接合用筒の下端面にかけて面一となっている請求項１に記載の注出具。
【請求項３】
前記キャップの筒状外側壁の内面に前記スパウトとの螺子係合用螺条が形成されている請求項１又は２に記載の注出具。
【発明の詳細な説明】
【技術分野】
【０００１】
本発明は、スパウトと呼ばれる袋状容器や紙容器に接着固定され、容器内容物の排出路として機能するスパウトと、該スパウトに装着されるキャップとからなる注出具に関するものである。
【背景技術】
【０００２】
プラスチックフィルムやアルミ箔などから形成された袋状容器は、古くから各種用途に使用されている。このような袋状容器は、従来は、袋の端部を引き裂くことにより開口を形成し、この開口を通して内容物を取り出すように構成されていることが多かったが、最近では、このような袋状容器には、スパウトと呼ばれるプラスチック製の排出用部材が設けられて使用されるようになってきた。同様に、紙容器においても、このような排出用部材が使用されている。
【０００３】
スパウトは、全体として両端開口の筒状形状を有するものであり、円筒状本体と、該円筒状本体の下部に一体に連なった容器接合用筒とから形成されており、円筒状本体と容器接合用筒の内部空間は、容器内容液を注ぎ出す際の排出用貫通路となっている。この容器接合用筒には、例えば袋状容器（パウチ）の開口部がヒートシールによる接合固定され、円筒状本体には、キャップが被せられて着脱自在に装着されて、注出具として使用される（特許文献１参照）。
【０００４】
上記のようなスパウトとキャップとからなる注出具は、各種飲料、ペースト状の食品類、液状医薬品などが収容されている容器に装着にされて広く使用されているが、上記のような従来公知の注出具は、酸素バリア性に難があるため、酸素バリア性を向上させ、容器内容物の酸化劣化を防止することが求められている。
【０００５】
酸素バリア性を高め、容器内容物の酸化劣化を防止するための手段としては、スパウトの内面に、エチレンビニルアルコール共重合体などのガスバリア樹脂の層を備えたバリア性スリーブをインサート成形により埋め込んでおく手段が提案されている（特許文献２参照）。
しかしながら、かかる手段は、高価なガスバリア性樹脂を使用することが必要であり、しかも、インサート成形という特殊な成形手段によりスパウトを成形しなければならず、製造コストが著しく高くなってしまうという問題がある。
【０００６】
上記のようなバリア性スリーブを使用せずに、酸素バリア性を向上させた注出具としては、キャップのスカート壁とは間隔を置いて下方に延びており且つい下端が閉じられた中空の筒状凹部がキャップに形成されている構造のものが提案されている（特許文献３，４参照）。
このような構造の注出具では、キャップをスパウトに装着したとき、スパウトの内部に上記の筒状凹部が侵入し、キャップのスカート壁と該筒状凹部の上部壁との間の空間にスパウトの上方部分（円筒状本体）が嵌め込まれることにより、キャップが安定に保持される構造となっている。
即ち、スパウトの内部に上記筒状凹部が侵入し、該筒状凹部の外面がスパウトの内面に密着することにより形成される二重壁構造によって酸素バリア性が高められるというものである。また、かかる注出具では、容器内容物が容器に充填されているとき、所謂ヘッドスペースとなるスパウト内空間が上記の筒状凹部によって閉じられるため、ヘッドスペースの容積を小さくすることができ、これにより、ヘッドスペースに存在する酸素による容器内容物の酸化劣化を防止できるという利点もある。
【０００７】
しかしながら、上記のような筒状凹部がキャップに設けられている形態の注出具においても、酸素バリア性は十分でなく、さらなる酸素バリア性の向上が求められている。
【先行技術文献】
【特許文献】
【０００８】
【特許文献１】特許第５４２１６５３号
【特許文献２】特開２００７−２３８１０６号公報
【特許文献３】特開２００４−９０９６４号公報
【特許文献４】特開２００２−１０４４４７号公報
【発明の概要】
【発明が解決しようとする課題】
【０００９】
従って、本発明の目的は、酸素バリア性が高められ、容器の内容物の酸化劣化が有効に防止された注出具を提供することにある。
【課題を解決するための手段】
【００１０】
本発明によれば、円筒状本体と該円筒状本体の下部に一体に連なった容器接合用筒とを含み、該円筒状本体及び容器接合用筒の内部空間が内容物の排出用流路となっているスパウトと、該スパウトの円筒状本体に螺子係合により着脱自在に装着されているキャップとからなる注出具において、
前記スパウトの容器接合用筒は、前記円筒状本体の下端部での外径よりも小径の外面を有する筒状基部と、該筒状基部の外面から径方向外方に張り出している張出片を有しており、
前記キャップは、栓体と、該栓体の上端に連なり且つ該栓体の外面を取り囲むように延びている筒状外側壁とを有しており、
前記スパウトの円筒状本体は、前記栓体外面と筒状外側壁との間の空間に挿入されて螺子固定されており、該栓体の底面は、前記スパウトの容器接合用筒で囲まれた領域に位置しているとともに、該栓体の外面には、前記容器接合用筒の筒状基部の内面に密着している部位を含んでいることを特徴とする注出具が提供される。
【００１１】
本発明の注出具においては、
（１）前記栓体が、肉抜きされた有底筒状形状を有しており、該栓体の底面から前記容器接合用筒の下端面にかけて面一となっていること、
（２）前記キャップの筒状外側壁の内面に前記スパウトとの螺子係合用螺条が形成されていること、
が好適である。
【発明の効果】
【００１２】
本発明の注出具は、容器、特に袋状容器の開口部に装着されるスパウトと、これに装着されるキャップとからなるものであるが、スパウトの一部の壁の厚みを薄肉とした点に顕著な特徴を有している。
即ち、スパウトは、円筒状本体と該円筒状本体の下部に一体に連なった容器接合用筒とを有しており、この容器接合用筒は、円筒状本体の下端に連なっている筒状基部と、該筒状基部の外面に設けられている張出片とから形成されている。このような容器接合用筒の外面に、フィルム状の袋容器の開口部がヒートシールにより接合され、特に張出片の存在により、高圧力でのヒートシールが可能となっており、高い接合強度でスパウトを袋状容器に密着固定することができる。
本発明では、上記のようなスパウトの容器接合用筒において、その筒状基部の外面の径を、円筒状本体の下端部での外径よりも小径としている。即ち、円筒状本体及び容器接合用筒（筒状基部）の内部空間は、容器内容物の排出路となるため、これらの内面は面一の滑らかな面となっており、従って、筒状基部の外面の径が円筒状本体の下端部の外径よりも小さいということは、筒状基部が、円筒状本体よりも薄肉となっており、両者の間に段差が存在していることを意味する。
【００１３】
本発明によれば、上記のように、スパウトの一部である容器接合用筒（筒状基部）の厚みを円筒状本体よりも薄肉とすることすることにより、より高い酸素バリア性を発現させたものである。
即ち、スパウトの内部には、キャップの栓体が挿入されて密着されており、しかも、スパウトの容器接合用筒の外面には、例えばフィルム形態の容器が接合されており、これらに、容器内への酸素の侵入が有効に防止されるのであるが、この場合、容器接合用筒の上部、即ち、円筒状本体の外面は、容器で覆われておらず、外面に露出している。従って、円筒状本体の外面から該本体の壁部を透過する酸素は、キャップの栓体によって容器内への侵入が抑制されたとしても、円筒状本体壁部内を軸方向に流れ、さらに、容器接合用筒の壁部内を軸方向に流れ、その下端部から容器内に流れ込んでしまうこととなる。
このように、容器接合用筒の壁部内を軸方向に流れて容器内に侵入する酸素の量は微量であるが、特に粘稠な内容物を酸化劣化させるには無視し得ないレベルとなる。粘稠な内容物、例えばペースト状の内容物は流動性に乏しいため、酸素が流れ出す容器接合用筒の下端部に付着していたり、或いはその近傍の容器内の液面部分に滞留していたりするため、容器内に流れ込んだ酸素により酸化され易いからである。
しかるに、本発明の注出具では、スパウトの容器接合用筒の厚みが薄肉化されているため、容器接合用筒の壁部を軸方向に通って流れる酸素の量が有効に抑制され、より優れた酸素バリア性が発現し、例えば、粘稠なペースト状内容物の酸化劣化も有効に防止することができる。
【００１４】
本発明の注出具は、高価なガスバリア性樹脂を使用せず、しかもインサート成形のような格別の成形手段を用いることなく成形することができるため、その製造コストが極めて安価である。
かかる注出具は、粘稠な内容物についての酸化劣化を有効に抑制することができ、例えば、粘稠なペースト状物質、特にとろみをつけた介護食などが収容された容器に装着されて効果的に使用することができる。
【図面の簡単な説明】
【００１５】
【図１】本発明の注出具の側断面図である。
【図２】図１の注出具におけるキャップの上面図（ａ）、側断面図（ｂ）及び側面図（ｃ）である。
【図３】図１のスパウトの上面図（ａ）、Ａ−Ａ側断面図（ｂ）、Ａ−Ａ側面図（ｃ）及びＢ−Ｂ側面図（ｄ）である。
【図４】図３の注出具におけるスパウトの底面図である。
【図５】図３のスパウトの円筒状本体の下端部での平断面図（ａ）及び容器接合用筒の上端部での平断面図（ｂ）である。
【図６】本発明の注出具において、スパウトの薄肉化された容器接合用筒の機能を説明するための部分拡大図である。
【発明を実施するための形態】
【００１６】
図１を参照して、本発明の注出具は、袋状容器（図示せず）の開口部に取り付けられて容器内容物の注ぎ出しに使用されるものであり、全体として１で示され且つ袋状容器の開口部にヒートシールにより接着固定されるスパウト１と、このスパウト１に被せての螺子係合により装着されて密封構造を形成するキャップ３とから構成されている。
【００１７】
スパウト１及びキャップ３は、何れも熱可塑性樹脂、例えば、例えば低−、中−、或いは高密度ポリエチレン、線状低密度ポリエチレン、アイソタクティックポリプロピレン、シンジオタクティックポリプロピレン、ポリ１−ブテン、ポリ４−メチル−１−ペンテンあるいはエチレン、プロピレン、１−ブテン、４−メチル−１−ペンテン等のα−オレフィン同志のランダムあるいはブロック共重合体、エチレン−酢酸ビニル共重合体、エチレン−（メタ）アクリル酸共重合体、エチレン−(メタ)アクリル酸エステル共重合体、イオン架橋オレフィン共重合体（アイオノマー）などを用いての射出成形により成形される。
【００１８】
先ず、図１と共に、キャップ３の構造を示す図２を参照して、このキャップ３は、中央部分に下方に延びている筒状形状の栓体５を有しており、この栓体５により、後述するスパウト１に形成されている内容物の排出用貫通路（後述する図３において１００で示されている）が閉じられるようになっている。図１及び図２（ｂ）に示されているように、この栓体５は、肉抜きされた中空筒状形状を有しており、底面５ａによって排出用貫通路１００（図３参照）が閉じられる構造となっている限り、肉抜きされていない中実形状を有するものであってよい。但し、樹脂量低減の観点からは、図１及び図２（ａ）に示されているように、中空筒状形状を有していることが好ましい。
尚、栓体５の外面５ｂは、若干、テーパー面となっており、下方にいくにしたがい、外径が小さくなっている。これは、キャップ３をスパウト１に装着したとき、栓体５がスパウト１の中空空間（排出用流路１００）内にスムーズに入り込むようにするためである。また、キャップ３をスパウト１に装着したとき、栓体５の下端での側面（底面５ａの側面）でスパウト１の内面に密着し、シール部を形成するようになっている。
【００１９】
また、上記栓体５の上端部は、外方に延びている周状フランジ７が形成されており、この周状フランジ７からは、栓体５の外面５ｂとは間隔を空けて下方に延びている筒状外側壁９が形成されている。この筒状外側壁９の内面には、スパウト１と螺子係合するための螺条１１が形成されている。
即ち、キャップ３をスパウト１に被せて螺子係合により固定したとき、スパウト１の上方部分が栓体５の外面５ｂと筒状外側壁９との間の空間に入り込み、これにより、キャップ３がスパウト１に固定されるようになっている。
【００２０】
尚、上記の筒状外側側壁９の内面上端部分には、スパウト１の上端部分をしっかりと保持するための係合突起１３ａが周状に設けられている。また、筒状外側壁９の内面上端からフランジ７の下面周縁部にかけて微細な周状凸部１３ｂが形成され、さらに、フランジ７の下面には、やはり微細な環状突起１３ｃが形成されていると共に、筒状外側壁９の内面上端部分から下方に延びている細長い軸方向リブ１５が、一定間隔で全周にわたって形成されている。
【００２１】
即ち、螺子係合により、スパウト１の上方部分が形状により、栓体５の外面５ｂと筒状外側壁９との間の空間に入り込んだとき、図１に示されているように、上記の軸方向リブ１５がガイドとなって、この空間の奥までスパウト１の上端がガタツキなく侵入し、さらに、スパウト１の上方部分の外側面が係合突起１３ａと当接し、周状凸部１３ｂがスパウト１の上端のコーナー部に当接し、加えて、環状突起ｃがスパウト１の上端面に当接し、これにより、キャップ３がガタツキなく安定に保持される。
【００２２】
さらに、スパウト１とキャップ３とのシール性をより向上させるために、栓体５の外面５ｂの上端部には、若干、大径のボス１７が形成されている。このボス１７が、栓体５の外面５ｂの上端部に密着し、この部分でもシール部が形成されるようになっており、スパウト１とキャップ３とのシール性が確保される。
【００２３】
キャップ３の筒状外側壁９には、図２（ａ）及び（ｂ）に示されているように、ローレット１９が形成されており、これが滑り止めとなって、開封のためのキャップ３の旋回操作を容易に行うことが可能となっている。
【００２４】
上記の筒状外側壁９の下端は、若干外広がりとなっており、その幅が比較的大きくなっている。
このような筒状外側壁９の下端には、キャップ３の開封履歴を証明する公知のタンパーエビデントバンド（ＴＥバンド）２１が連結されている。
【００２５】
このＴＥバンド２１は、特に図２（ｃ）に示されているように、細長く且つ屈曲したストリップ２３により、上記の筒状外側壁９の下端に連結されている。
また、ＴＥバンド２１は、縦方向スリット２５により分断されており、この分断部分は、縦方向スリット２５を跨ぐ破断可能な周方向ブリッジ２７により連結されている。この分断部分に対してキャップ３の閉栓方向Ｙ側の近傍に、上記のストリップ２３が連結されている。
【００２６】
一方、筒状外側壁９の下端面には、間隔調整用突部２９が形成されている。この間隔調整用突部２９は、破断可能な軸方向ブリッジ３０によりＴＥバンド２１の上端に連結されている。この間隔調整用突部２９により、ＴＥバンド２１と筒状外側壁９との間に必要以上に大きな空間が形成されず、しかも、キャップ３をスパウト１に装着したときに、ＴＥバンド２１と筒状側壁９との間に発生する応力が緩和され、周方向ブリッジ２７や軸方向ブリッジ３０の破断を有効に防止することができる。
【００２７】
さらに、筒状外側壁９の下端面及びＴＥバンド２１の上端面には、上記の縦方向スリット２５の閉栓方向Ｙ側近傍に、キャップ３の開栓時に、傾斜面で互いに当接する開栓促進突起３１ａ，３１ｂが設けられている。
また、ＴＥバンド２１の内面には、スパウト１の外面に係合してＴＥバンド２１の開栓方向への回転を制限する突起３３が、適宜の位置に適宜の数で設けられている。
【００２８】
上述したＴＥバンド２１の構造は公知であり、例えば、ＴＥバンド２１は、１本の縦方向スリット２５により分断されていてもよいし、この縦方向スリット２５を適当な間隔で複数本形成し、ＴＥバンド２１を該スリット２５の数に対応して分割されていてもよい。この場合、各スリット２５にはそれぞれ周方向ブリッジ２７が設けられ、ＴＥバンド２１の分割片は、この周方向ブリッジ２７により互いに連結された構造となる。また、ＴＥバンド２１の分割片ごとに、前述した位置関係でストリップ２３が設けられ、何れの分割片もストリップ２３により、筒状外側壁９の下端に連結されるものとなる。
【００２９】
上述したＴＥバンド２１の機能については、後述する。
尚、図１、図２（ｂ）及び（ｃ）から理解されるように、前述した栓体５は、ＴＥバンド２１の下端から大きく突出したものとなっている。
【００３０】
次にスパウト１の形態について説明する。
図１と共に、図３及び図４を参照して、スパウト１は、全体として中空筒状形状を有しており、この内部空間が、容器内に収容されている内容物の排出用流路１００となっている。このため、スパウト１の内面は、特に図１及び図３（ｂ）に示されているように、スパウト１の内面には溝や凹部が形成されておらず、全体として滑らかなストレートな面となっている。即ち、この流路１００内での内容物の滞留や付着を防止するためである。
【００３１】
このようなスパウト１は、円筒状本体４１と、円筒状本体４１の下部に一体に連なった容器接合用筒と４３とから構成されている。
【００３２】
円筒状本体４１は、前述したキャップ３が被せられて固定される部分である。このため、上部の外面には、キャップ３を螺子固定するための螺条４５が形成されており、その下方には、間にサポートリング４７を挟んで、複数のラチェット４９が設けられている。
即ち、上記の螺条４５と、キャップ３の筒状外側壁９の内面に形成されている螺条１１との螺子係合により、キャップ３がスパウト１に螺子固定され、安定に保持されることとなる。キャップ３を螺子係合により固定した状態では、キャップ３の栓体５が上記排出用流路１００内に侵入し、これにより、排出用流路１００が閉じられ、この流路１００からの内容物の排出が防止される。また、図１に示されているように、このスパウト１の円筒状本体４１が、キャップ３の栓体５の外面５ｂと筒状外側壁９の内面との間に侵入し、軸方向リブ１５により、この空間の奥までガタツキなくスムーズに案内され、突起１３ａ、周状凸部１３ｂ、環状突起１３ｃと当接して密着し、さらには、ボス１７とも当接して密着することにより、キャップ３とスパウト１との間のシール性が確保される。
【００３３】
また、上記のサポートリング４７は、成形されたスパウト１の支持搬送等に利用される。
【００３４】
さらに、サポートリング４７の下方に設けられているラチェット４９は、図４に示されているように、上記のようにスパウト１（円筒状本体４１）に螺子固定されたキャップ３を開栓方向Ｘに回転させてキャップ３を取り外す際に、前述したＴＥバンド２１の開栓方向Ｘへの回転を抑止するが、閉栓方向Ｙへの回転は許容し得るような形態に形成されている。
【００３５】
即ち、このラチェット４９は、開栓方向Ｘに対して上流側（即ち、閉栓方向Ｙ側）の面が切り立った直立面４９ａとなっており、開栓方向Ｘ側（即ち、閉栓方向Ｙに対して上流側）の面がなだらかな傾斜面４９ｂとなっている。かかるラチェット４９は、キャップ３を螺子固定した状態において、前述したＴＥバンド２１の内面に設けられている突起３３の開栓方向Ｘ側に、ある程度間隔をおいて位置するように配置されている。
従って、キャップ３を開栓方向Ｘに回転させてキャップ３を取り外そうとしたとき、キャップ３の筒状外側壁９及び栓体５は、開栓方向に回転してスパウト１（円筒状本体４１）上を上昇すると共に、スリット２５に対してＴＥバンド２１の開栓方向Ｘ側は、ある程度開栓方向に開栓し、ストリップ２３が伸びきった状態で、ストリップ２５により開栓方向Ｘ側に引っ張られる。一方、スリット２５に対してＴＥバンド２１の閉栓方向Ｙ側は、ある程度開栓方向Ｘに回転すると、内面に設けられている突起３３がラチェット４９の直立面４９ａに当接し、その開栓方向Ｘ側の回転が制限される。この結果、スリット２５を跨いで形成されている周方向ブリッジ２７が破断し、さらに、ＴＥバンド２１と筒状外側壁９とを連結している軸方向ブリッジ３０も破断することとなる。
【００３６】
また、上記のようにキャップ３を開栓方向Ｘに回転させ、筒状外側壁９が開栓方向Ｘに移動すると、筒状外側壁９とＴＥバンド２１に設けられている開栓促進突起３１ａ，３１ｂの傾斜面同士が係合し、この結果、ＴＥバンド２１のスリット２５に対して閉栓方向Ｙ側が押し下げられ、これにより、スリット２５を跨いでいる周方向ブリッジ２７の破断が促進され、キャップ３の開栓が促進されるようになっている。
【００３７】
従って、キャップ３がスパウト１から取り外し、スパウト１の排出用流路１００が開放された状態では、上述したスリット２５の部分でＴＥバンド２５が分断され、分断されたＴＥバンド２５は、ストリップ２３により筒状外側壁９の下端から垂れ下がった状態となっている。一般の消費者等は、このようなＴＥバンド２１の状態を見て、このキャップ３が開封されたものであることを認識し、いたずらなどによる注出具の不正使用を防止することができるのである。
【００３８】
尚、キャップ３をスパウト１（円筒状本体４１）に被せて閉じる場合、前述したラチェット４９は、このキャップ３（突起３３）の閉栓方向Ｙへの回転を許容するように傾斜面４９ｂが形成されているため、この閉栓方向Ｙへの回転は制限されず、キャップ３をスムーズにスパウト１（円筒状本体４１）に螺子固定により装着することができる。
【００３９】
上記のような円筒状本体４１を有するスパウト１において、円筒状本体４１の下端に連なる容器接合用筒４３は、その側面にフィルムからなる袋状容器（図示せず）の開口部分がヒートシールにより接合される部分である。
【００４０】
この容器接合用筒４３は、図３（ｂ）〜（ｄ）及び図４の底面図に示されているように、円柱形状の筒状基部４３ａと、筒状基部４３ａの外面に形成されている張出片４３ｂとから構成されている。この筒状基部４３ａの外面及び張出片４３ｂの外面には袋状容器の開口部がヒートシールされる部分であるため、何れも滑らかな面となっており、且つ張出片４３ｂの外面は、筒状基部４３ａの外面に滑らかに連なっている。
上記のようにして袋状容器の開口部をスパウト１（容器接合用筒４３）にヒートシールによる接合する場合、張出片４３ｂの形成によりヒートシール面積が増大し且つヒートシールに際しての圧着も容易に行うことができるため、良好な密封性を確保することができる。
尚、図３（ｂ）に示されているように、容器接合用筒４３の内面は、前述した円筒状本体４１の内面に面一となるように滑らかに連続した面となっているが、その下端部分４３’は、下方に行くほど小径となるようなテーパー面となっている。これにより、スパウト１にキャップ３を装着した時、栓体５の底面５ａの側面部分が、容器接合用筒４３の下端部分４３’に密着し、良好なシール部が確保されるようになっている。
【００４１】
このような注出具においては、キャップ３を閉じたとき、栓体５の外側面５ｂの下端部（底面５ａの周縁部）がスパウト１（容器接合用筒４３の筒状基部４３ａの内面下端部分）に密着し、且つ容器接合用筒４３の外面に袋状容器がヒートシールによりしっかりと密着固定するため、高い酸素バリア性が確保され、さらに、栓体５がスパウト１の内容物排出用流路１００内に深く侵入し、この結果、袋状容器のヘッドスペースの容積も小さく制限されている。このため、内容物の酸化劣化を効果的に防止できる構造となっている。
【００４２】
しかるに、本発明の注出具は、さらに酸素バリア性が向上し、内容物の酸化劣化をより有効に防止し得る構造となっている。
【００４３】
即ち、図４と共に、円筒状本体４１と容器接合用筒４３との境界部でのそれぞれの平断面を示す図５を参照して（図５（ａ）が円筒状本体４１の下端での平断面であり、（ｂ）が容器接合用筒４３の上端での平断面である）、本発明の注出具では、スパウト１の円筒状本体４１と容器接合用筒４３との間に段差５１が形成されており、円筒状本体４１の外径Ｄに比して、容器接合用筒４３における筒状基部４３の外径ｄが小さく設定されている。このことは、スパウト１内の空間が内容物排出用流路１００となっており、全体として凹部や溝などが存在しない滑らかな面となっていることから理解されるように、上記のような外径Ｄとｄとの差は、容器接合用筒４３の筒状基部４３ａの厚みｔが、上部の円筒状本体４１の厚みＴよりも薄く設定されていること（即ち、ｔ＜Ｔ）を意味している。本発明では、このような容器接合用筒４３（筒状基部４３ａ）の薄肉化によって酸素バリア性のさらなる向上がもたらされ、容器内容物の酸化劣化をより一層効果的に防止することができる。
【００４４】
このような薄肉化による酸素バリア性の向上は、容器接合用筒４３（筒状基部４３ａ）を厚み方向に透過する酸素が抑制されていることにより達成されるものである。
【００４５】
例えば、図６の要部拡大図に示されているように、スパウト１の円筒状本体４１の下端に連なっている容器接合用筒４３（筒状基部４３ａ）の側面には、フィルム状の袋状容器１１０がヒートシールにより接合している。従って、容器接合用筒４３の側面からの酸素の侵入は、袋状容器１１０によって有効に遮断されている。しかしながら、容器接合用筒４３の上部に存在している円筒状本体４１の外面は、袋状容器１１０が接合されておらず、大気に露出している状態にある。筒状円筒体４１は、その外面に、キャップ３との係合機構（例えば螺条４５やラチェット４９など）やサポートリング４７などの剛性を必要とする部材が設けられているため、この厚みＴは、ある程度厚いことが必要であり、一般に、１．５ｍｍ以上、特に１．５〜５．０ｍｍとかなり厚い。
このため、円筒状本体４１の外面から、Ｚで示すように、酸素が流入することとなり、その厚みＴがかなり厚いため、この円筒状本体４１の壁部内には、多くの酸素が流入し得る。
【００４６】
このようにして流入した酸素の容器１１０内への侵入は、栓体５０によって制限されているのであるが、この栓体５０によっては、容器接合用筒４３の厚み方向を通って流れる酸素を遮断することができず、従って、図６に示されている流路Ｚにそって袋状容器１１０内に侵入し、内容物の酸化劣化を生じることとなる。
このように、容器接合用筒４３の厚み方向を通って容器１１０内に侵入する酸素の量はそれほど多くないのであるが、容器内容物が流動性の低い粘稠な物質であるときには、無視し得ないレベルで酸化劣化を生じてしまう。
【００４７】
しかるに、本発明では、容器接合用筒４３（筒状基部４３ａ）の厚みを、円筒状本体４１に比して薄肉とされているため、この部分を流れる酸素の量が制限され、酸素バリア性のさらなる向上が達成されているわけである。
【００４８】
上述した説明から理解されるように、容器接合用筒４３（筒状基部４３ａ）の厚みｔが薄い程、この部分を通過し得る酸素の量が少なくなり、酸素バリア性をさらに高めることができるが、過度に薄くすると、形態保持性が損なわれ、容易に変形するようになってしまい、この結果、スパウト１の支持搬送性が損なわれたり、スパウト１へのキャッピング作業性や、ヒートシール作業性も損なわれてしまう。
従って、本発明においては、容器接合用筒４３（筒状基部４３ａ）の厚みｔと筒状円筒体４１の厚みＴとの比（ｔ／Ｔ）が０．１〜０．６の範囲となるように、容器接合用筒４３における筒状基部４３の外径ｄ及び円筒状本体４１の外径Ｄを設定することが好ましい。これにより、スパウト１の強度や形態保持性を保持しつつ、酸素バリア性を効果的に高めることができる。
【００４９】
このような本発明の注出具は、酸素バリア性が極めて高いため、粘稠な流動性の乏しい内容物についての酸化劣化も有効に抑制することができる。即ち、粘稠な内容物は、流動性に乏しいため、容器接合用筒４３の下端部に付着していたり、或いは袋状容器１１０内の液面に存在しているものは、その移動がほとんど生じないため、常に、酸素と接触する状態にあるため、極めて酸化劣化を生じ易い状態にある。しかるに、本発明の注出具では、上記のように、容器接合用筒４３の壁部を通る酸素の量が著しく抑制されるため、このような部分に存在する粘稠な内容物の酸化劣化さえも有効に抑制することができる。
例えば、粘稠なペースト状物質、特にとろみをつけた介護食などであっても、その酸化劣化を有効に防止することができ、長期にわたって、その品質を保持することができる。
【００５０】
また、本発明の注出具においては、例えば、図１に示されているように、栓体５の底面５ａと容器接合用筒４３の下端面にかけて面一となっていることが好適である。
即ち、先にも述べたように、栓体５の底面５ａの側面部分が、容器接合用筒４３の下端部分４３’に密着し、良好なシール部が確保されるようになっているが、同時に、栓体５の底面５ａの下端面が容器接合用筒４３の下端面にぴったりと密着し、両者の間に溝、凹部或いは段差が形成されていないことが望ましい。即ち、上記のような粘稠な流動性の乏しい物質は、溝や凹部或いは段差部分に滞留してしまうことが多く、このような物質は、酸化劣化を受けやすい状態に保持されてしまう。従って、このような溝、凹部或いは段差が形成されないような形態とすることにより、より一層、内容物の酸化劣化を有効に防止することができる。
【００５１】
例えば、円筒状本体４１と容器接合用筒４３（筒状基部４３ａ）の厚みが同一となっている従来公知の形態を有している注出具（Ｔ＝ｔ＝２．０ｍｍ）について、袋状容器１１０を装着した状態で容器内部に透過した総酸素透過量が０．０１９７ｃｃ／ｄａｙであったとき、容器接合用筒４３の厚みが１．６ｍｍ薄く設計された本発明の注出具（Ｔ＝２．０ｍｍ、ｔ＝０．４ｍｍ）について、同様にして総酸素透過量を測定すると、０．０００９ｃｃ／ｄａｙとなり、酸素バリア性がより向上していることが判る。
【００５２】
ところで、スパウト１の容器接合用筒４３（筒状基部４３ａ）を薄肉に形成されている場合、袋状容器１１０をヒートシールにより貼り付けたとき、この容器接合用筒４３がヒートシール圧により変形するという問題が懸念される。しかしながら、本発明の注出具では、キャップ３をスパウト１に装着したとき、栓体５の底面５ａの側面が容器接合用筒４３の内面下端部に密着している。従って、キャップ３が装着された状態で袋状容器１１０をヒートシールを行うことにより、栓体５の底面５ａによる補強効果によって、容器接合用筒４３の変形を有効に防止することができ、これも本発明の注出具の大きな利点である。
【符号の説明】
【００５３】
１：スパウト
３：キャップ
５：栓体
９：筒状外側壁
４１：円筒状本体
４３：容器接合用筒
４３ａ：筒状基部
４３ｂ：張出片
５１：段差
１００：内容物の排出用流路
【図１】
2018090271.tif 000003
【図２】
2018090271.tif 000004
【図３】
2018090271.tif 000005
【図４】
2018090271.tif 000006
【図５】
2018090271.tif 000007
【図６】
2018090271.tif 000008